(57)【要約】【課題】汚染された冷却水にも適用でき，構成と取り扱いが簡単で容易に実施できる，メンテナンスフリーの断水検出装置及びその方法を提供する。【解決手段】配管系統上で配管を分岐し，分岐した配管を上方へ延ばし，配管の終端を塞ぐように圧力検出器を取付けることと，冷却水を流すことにより，分岐配管の上部に形成される空気層の圧力が配管分岐点の冷却水の圧力と等価であることから，空気層の圧力を検出することにより，冷却水に接触することなく間接的に冷却水の圧力を検出し，断水検出する事を可能にした。【選択図】  図１
2005238274.tif 000002
【特許請求の範囲】
【請求項１】
トーチ冷却用の冷却水配管系統において，配管の途上で上方に分岐し，その終端を塞いだ分岐配管と，前記の分岐配管上部に形成される空気層と，前記の冷却水の圧力と等価な圧力として，前記の分岐配管上部に形成される空気層圧を検出する圧力検出器とにより構成された，冷却水に非接触の配管水圧検出装置を具備することを特徴とする溶接機。
【請求項２】
トーチ冷却用の冷却水配管系統において，配管の途上で上方に分岐した分岐配管と，前記の分岐配管上部に形成される空気層と，前記の冷却水の圧力と等価な圧力として，前記の分岐配管上部に形成される空気層圧を検出し，且つ前記分岐配管の終端を塞ぐように取り付けられた圧力検出器とにより構成された，冷却水に非接触の配管水圧検出装置を具備することを特徴とする溶接機。
【請求項３】
溶接機トーチ冷却用の冷却水配管系統において，配管の途上で上方に分岐し，その終端を塞いだ分岐配管と，前記の分岐配管上部に形成される空気層と，前記の冷却水の圧力と等価な圧力として，前記の分岐配管上部に形成される空気層圧を検出する圧力検出器とを具備することを特徴とする，冷却水に非接触の配管水圧検出装置。
【請求項４】
溶接機トーチ冷却用の冷却水配管系統において，配管の途上で上方に分岐した配管と，前記の分岐配管上部に形成される空気層と，前記の冷却水の圧力と等価な圧力として，前記の分岐配管上部に形成される空気層圧を検出し，且つ前記分岐配管の終端を塞ぐように取り付けられた圧力検出器とを具備することを特徴とする，冷却水に非接触の配管水圧検出装置。
【請求項５】
溶接機トーチ冷却用の冷却水配管系統において，配管の途上で上方に分岐し，その終端を塞ぐ工程と，前記の冷却水の圧力と等価な圧力として，前記の分岐配管上部に形成される空気層圧を圧力検出器で検出する方法とにより構成される冷却水に非接触の配管水圧検出方法。
【請求項６】
溶接機トーチ冷却用の冷却水配管系統において，配管の途上で上方に分岐する工程と，前記の冷却水の圧力と等価な圧力として，前記の分岐配管上部に形成される空気層圧を圧力検出器で検出する方法と，前記分岐配管の終端を塞ぐように前記圧力検出器を取り付ける工程とにより構成される冷却水に非接触の配管水圧検出方法。
【発明の詳細な説明】
【技術分野】
【０００１】
本発明は，溶接機トーチを冷却するための冷却水配管における，配管内の水圧の検出に関するものである。
【背景技術】
【０００２】
水冷式装置においては，断水は装置を熱的に損傷し，致命的な事故となる。そのため，色々な原理に基づいた検出方法によって断水を検出し，装置を保護する事が考えられているが，通常検出部又は検出のための機構が検出対象の冷却水に接触している。その結果，冷却水が汚染された水である場合，断水検出機能に支障を来している。
【０００３】
従来の断水検出を実施している形態を図３に示して説明する。水質を管理されていない汚染された冷却水３が上流側配管１から下流側配管２へ通水した場合，水圧を検知する圧力検出器６の感圧部７は，汚染された冷却水３に接触することになり，感圧部７の接触部が汚染され，その結果感圧部７へ圧力を伝達しなくなり，検知不能となる場合がある。
【０００４】
このような検出不動作を避ける為，圧力検出器６の上流側にフィルタ４を設けることが行われるが，フィルタ４の目詰まりが発生し，定期的なフィルタ４のメンテナンスが必要となるが，その作業は非常に困難である。
【０００５】
又，フィルタ４を設置しフィルタ４のメンテナンスを行っても，感圧部７の汚染は進行し，最終的には検知不能となり，圧力検出器６を交換する事になる。
【０００６】
さらに，冷却水の水質・汚染度合いは使用先毎に異なること，水質・汚染度合いを定量的に把握することが困難なこと，汚染度合いに応じた適正なフィルタ４を特定する事が困難なこと等から，溶接機装置の製作段階で適正なフィルタ４を設置することは困難であり，フィルタ４を設置せずに使用する場合が多く，圧力検出器６が汚染され検知不能となった場合に，あるいは定期的に圧力検出器６を交換している。
【０００７】
冷却水に非接触の検出方式であれば，冷却水の水質の如何によらず，安定して断水を検出することができる。非接触の断水検出方法としては，色々な原理に基づいた検出方式がある。電気式，感温式，マイクロ波式，圧力媒体伝達式等があるが，何れの方式も検出の構成が複雑で実施が困難である。
【０００８】
例えば電気式では，排水部において水を導体として電気回路を構成し，電気回路を流れる電流を計測し，断水による電流の変化で断水を検出する方法があるが，検出部の機構以外に電源と検出した電流を判別する制御器が必要になる。
【０００９】
図４に示す圧力媒体伝達式による液の圧力検出が実施されているが，内部に柔軟性皮膜からなるダイヤフラムを張設した圧力伝達容器１６を製作することが必要であり，簡単には実施できない。又，実際に組立・稼動させるにあたっては，先に仕切られた他方の部屋２２を圧力伝達媒体１５で充填した後，圧力計本体１４を取り付け，次いで圧力伝達容器１６を流体輸送管１０に固定するというような，正確な手順による作業が要求されている。
【特許文献１】実開昭５７−１７７１４８号公報  考案の名称：圧力計
【発明の開示】
【発明が解決しようとする課題】
【００１０】
断水検出装置としては，水に非接触で水質・汚染度に関係なく使用でき，フィルタを必要としない，メンテナンスフリーの断水検出方法を構成すること。且つ，その構成と稼動・保守上での取り扱いが簡単で，容易に実施できることを課題とする。
【課題を解決するための手段】
【００１１】
上記課題を解決するために，配管の途上に，水圧と等価な圧力が加わる空気層を形成した。その空気圧を検出することにより，水に接触することなく断水検出を行うことを実現した。
【発明の効果】
【００１２】
本発明によれば，断水検出器は冷却水に接触しないため，使用される冷却水の水質の影響を受けることなく，長期に安定して断水検出機能を維持する。他の要素において水質を問題にすることがなければ，フィルタを設ける必要はなく，本発明の水圧検出の方法は，メンテナンスフリーとなる。
【００１３】
又，実施の方法は，他の方法と比較して非常に容易である。図４に示す既に実施されている圧力媒体伝達方式の例と比較しても，本発明では特別な機構を新たに製作する必要はなく，分岐配管の製作に要する材料も常時使用している配管の小片を使用でき，その構成及び実施作業は非常にシンプルで容易である。
【発明を実施するための最良の形態】
【００１４】
本発明の実施の形態を構成し，冷却水３を流す前の状態を図２に示す。管継手５で分岐した分岐配管８を上方へ延ばし，その終端を塞ぐように圧力検出器６を取付ける。このとき，全ての配管内は空気で占められている。
【００１５】
この状態で，上流側配管１から下流側配管２へ冷却水３を流した状態を図１で示し説明する。水圧により冷却水３の一部は分岐配管８へ浸入するが，水圧と空気圧が均衡する位置で冷却水の浸入は止まり，分岐配管８の上部には空気層９が残る。即ち，この場合の空気層９の空気圧は，検出の目的である水圧と同じ圧力値となる。そのため，図３の従来の水圧検出方法に替え，図１の空気圧を検出する方法で断水を検出することができる。
【００１６】
本発明では，分岐配管８の終端を塞ぐように圧力検出器６を取付け，空気圧を検出する方法を説明したが，分岐配管８の終端をキャップ又はプラグ等にて塞ぎ，圧力検出器６を分岐配管８の終端以外の空気層９の範囲に取付け，空気圧を検出する方法でもよい。
【００１７】
本発明では，冷却を目的とした水を対象として説明したが，水を用いる目的が冷却以外の目的であってもよく，又流体が水以外の液体であってもよい。
【００１８】
本発明では，断水検出を目的として圧力検出器を用いた非接触検出の方法を説明したが，断水検出以外の監視又は制御を目的として，液流体の圧力を検出する場合においても適用できる。
【図面の簡単な説明】
【００１９】
【図１】本発明による断水検出機構の通水状態を示す図。
【図２】本発明による断水検出機構の通水前の状態を示す図。
【図３】従来の断水検出機構を示す図。
【図４】公開されている圧力媒体伝達式の圧力計を示す図。
【符号の説明】
【００２０】
１    上流側配管
２    下流側配管
３    冷却水
４    フィルタ
５    管継手
６    圧力検出器
７    感圧部
８    分岐配管
９    空気層
１０  流体輸送管
１１  圧力計
１２  被測定流体
１３  取付部
１４  圧力計本体
１５  圧力伝達媒体
１６  圧力伝達容器
１７  係合部
１８  機器取付部
１９  ダイヤフラム
２０  流体導入口
２１  仕切られた一方の部屋
２２  仕切られた他方の部屋
２３  取付口部
２４  流体導入口
【図１】
2005238274.tif 000003
【図２】
2005238274.tif 000004
【図３】
2005238274.tif 000005
【図４】
2005238274.tif 000006